【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
配列および接合されるべき向かい合った要素から突出した、１つまたはそれ以上のネジ切りされたスタッドと、
一緒にネジ締めされるように、かつ、前記向かい合ったスタッドのそれぞれと結合するように構成された、第１および第２のネジ切りされた係合部材と、
前記スタッドの１つにネジ係合することができ、前記第１および第２の係合部材によって包み込まれるか取り囲まれるように構成された調整ナットと、
を共に備える、コンクリートの支柱、壁、梁、または、構造的鉄鋼部品を含む建築要素を整列および接合するための器具であって、
前記調整ナットは、ネジとして前記係合部材の１つを持ち上げ、それによって前記要素を整列させ、その後、前記係合部材を一緒にネジ締めすることによってロックされて包み込まれる、器具。
【請求項２】
第１の要素に埋め込まれるとともに前記第１の要素の端部から突出する、第１のネジ切りされたスタッドまたはネジ切りされた補強棒と、
前記第１の要素と整列および接合させられるように、第２の要素に埋め込まれるとともに前記第２の要素から突出する、第２のネジ切りされたスタッドまたはネジ切りされた補強棒と、
前記第１のスタッドに固定的に取り付けられるとともに、ネジ切りされた外壁を有する第１の筒状部材と、
前記第１の筒状部材にネジ締めされるように構成された内面ネジ山を有する第２の筒状部材であって、前記第２の筒状部材が前記第２のスタッドまたは棒の上を自由に滑走できるようにするための穴がある終端壁を有し、前記穴の寸法は前記スタッドの整列のずれ分を収容するのに必要となる許容範囲を決定する、第２の筒状部材と、
前記第２のスタッドにネジ係合することができ、前記第１の筒状部材の自由端と接触する調整ナットであって、前記調整ナットがネジとして前記第１の筒状部材の前記自由端を持ち上げることによって前記第１および第２の要素が整列し、前記第２の筒状部材は前記第１の筒状部材にネジ締めされるときに前記調整ナットを定位置に包み込んでロックする、調整ナットと、
を共に備える、コンクリートの支柱、壁、梁、または、構造的鉄鋼部品を含む建築要素を整列および接合するための器具。
【請求項３】
前記建築要素は、鉛直に整列させられるべきコンクリートの支柱または壁である、請求項１または請求項２に記載の器具。
【請求項４】
前記第２の筒状部材の前記終端壁の前記穴の直径は、前記第１の筒状部材の前記自由端の内径と等しいかそれより大きい、請求項２に記載の器具。
【請求項５】
前記調整ナットの回転を容易にするために、前記調整ナットの上下に１つまたはそれ以上のワッシャを有する、請求項１または請求項２に記載の器具。
【請求項６】
前記ワッシャは、前記調整ナットと前記筒状部材との間の支圧強度を強化するように構成されている、請求項４に記載の器具。
【請求項７】
前記ワッシャは、向かい合う前記スタッドまたは棒の整列が極度にずれた場合に備えて余裕を持つように、大きな支圧強度表面積をもたらす通過穴を有する、請求項４または請求項５に記載の器具。
【請求項８】
前記調整ナットは、上側および下側フランジを有することによって、ワッシャを不要にするように構成されている、請求項１〜７のいずれか１つに記載の器具。
【請求項９】
前記第１および第２の筒状部材は、スパナで回転させることを容易にするための六角形部分または平面部分を有する、請求項１〜８のいずれか１つに記載の器具。
【請求項１０】
前記第１および第２筒状部材に対して締め付けられることができ、それによって前記第１および第２筒状部材をそれぞれネジ山が切られたスタッドまたは棒に固定する、１つまたはそれ以上のロックナットを有する、請求項１〜９のいずれか１つに記載の器具。
【請求項１１】
向かい合うスタッドまたは棒の配列手段を有し、前記配列手段は中央突起があるキャップ部材を備え、前記キャップは１つのスタッドまたは棒の終端に固定され、
前記突起は反対側のスタッドまたは棒の係合筒状部材の中央凹部に挿入されるように構成されており、それによって、前記第１および第２係合筒状部材を一緒にネジ締めする前に、前記スタッドまたは棒が実質的に整列する、
請求項１〜１０のいずれか１つに記載の器具。
【請求項１２】
前記キャップは、前記１つのスタッドまたは棒の前記終端に摩擦溶接されるか、前記１つのスタッドまたは棒の終端のネジに嵌められる、請求項１０に記載の器具。
【請求項１３】
キャップ部材を支持する係合筒状部材は、前記キャップ部材に対してネジとして付け外しすることができ、それによってさらなる整列手段を構成する、請求項１〜１２のいずれか１つに記載の器具。
【請求項１４】
前記スタッドまたは棒を整列させる際に、前記スタッドまたは棒上の一方または両方の前記係合筒状部材を一時的に支持するために、前記スタッドまたは棒をつかむように構成されている取り外しが可能なクリップを有する、請求項１〜１３のいずれか１つに記載の器具。
【請求項１５】
請求項１〜１４のいずれか１つに記載の器具を用いて、鉄筋コンクリート要素を整列させ、それらの補強棒またはスタッドを接合する方法であって、
ａ）前記第１のスタッドまたは棒に前記第１筒状部材をネジ締めによって取り付けるステップと、
ｂ）向かい側の前記第２のスタッドまたは棒の上で前記第２の筒状部材を滑走させるステップと、
ｃ）前記第２のスタッドまたは棒に前記調整ナットをネジ係合させ、前記第１の筒状部材の前記自由端に前記調整ナットを接触させるステップと、
ｄ）前記第１および第２の要素を整列させるために、または、スタッドまたは棒の整列手段を用いて前記第１および第２のスタッドまたは棒を整列させるために、前記調整ナットを前記第１の筒状部材に対して締め付けるステップと、
ｅ）所望の整列を得た後、前記第２の筒状部材を前記第１の筒状部材とネジ締めし、前記第２および第１の筒状部材を一緒に締め付けることによって、前記調整ナットを定位置に包み込んでロックするステップと、
を有する、方法。
【手続補正２】
【補正対象書類名】明細書
【補正対象項目名】０００６
【補正方法】変更
【補正の内容】
【０００６】
上述した先行技術文献に開示されている補強棒を接合する方法および器具では、いずれも、向かい合う離間した支柱の補強棒を正確に整列させる必要がある。しかし、たいていの場合、一括して連結する必要のある棒群のような、複数の棒が存在する。それぞれの棒の間に生じる整列のずれをわずかでも許容できるような先行技術による機械的連結システムはごく少数しか出回っていない。一方の棒群を他方の棒群と連結するためには、一方の棒群の中の個別の棒を、それぞれ、向かい側の他方の棒群の中の個別の棒のうちの対応するものと正確に整列させなければならないが、これは非常に難しい上に多くの人手を要する作業となりうる。その上、コンクリートの中の補強棒、すなわち鋼鉄要素が整列しておらず、機械的に連結することができない場合には、時間と人手の両方を莫大に要するそれぞれの補強棒の連結作業の前に、要素自身をつっかえ棒やその他の間に合わせの手段によって整列あるいは支持しなければならない。機械的棒カプラの先行技術例としては、ＵＳ５３０５５７３Ａ号（BAUMANN）、ＷＯ２０１１／１１３４１８Ａ１号（BILFINGER BERGER AG）、ＷＯ１９９２／００８０１９Ａ１号（ARTEON）、ＷＯ２００７／０６１２４０Ａ１号（KIM）が挙げられる。
全ての従来例において、主要な機能は、補強棒の整列がわずかにずれた場合でもそれらを連結することである（例えば、ＷＯ１９９２／００８０１９Ａ１号（ARTEON））が、その一方で、棒が埋設されたコンクリート要素または鉄鋼部品自身を整列させる機能はない。したがって、離間して対向する支柱の補強棒を接合するだけでなく、つっかえ棒やその他の間に合わせの手段を用いることなく互いの支柱を整列させもする器具および方法が必要であり、その場合に器具は向かい合う補強棒の整列がずれているときにも機能できなければならない。
【手続補正３】
【補正対象書類名】明細書
【補正対象項目名】００３４
【補正方法】変更
【補正の内容】
【００３４】
加えて、建築あるいは建造物の「要素」の語は、コンクリートの杭、支柱、壁、床、その他の鉄筋コンクリート構造体を含むとともに、鋼鉄梁、鋼鉄桁、その他の鋼鉄構造体を含むものとして理解される。スタッドという語に関しては、ここで説明した建築要素から突出する補強棒すなわち鉄筋も同様に含む。特定の実施例の説明の中で、ネジ切りされたスタッドと言ったときは、外面をネジ切りされた補強棒を意味しうるし、またその逆もありうる。
「ネジとして持ち上げる」という用語は、典型的には、下方にある他の支柱または梁の上端に配列させられている支柱または梁の重量のような、向かい合う要素の圧縮力に対抗して離間させる、または押し上げるという意味を含む。